(57)【要約】【課題】回転ドラムの回転により図柄を変動させる方式で、遊技者にスリル感や興奮等を与える図柄の変化を表示する遊技機の図柄表示装置を提供する。【解決手段】遊技機の図柄表示装置１は、横方向に縦伸縮自在表示部２を複数配列している。この縦伸縮自在表示部２は、３個の回転ドラム３ａ、３ｂ、３ｃと、これらの回転ドラム３ａ、３ｂ、３ｃのそれぞれの外周面に係合して回転する無端状の図柄表示ベルト４と、中央回転ドラム３ｂと連結すると共にこの回転ドラム３ｂを前後方向にスライドさせるスライド機構５とから概略構成されている。そして、リーチ状態を形成する左右縦伸縮自在表示部２、２の図柄の表示領域を、遊技者側に図柄が飛び出すように伸縮拡大させて、大当たり確率を低→中→高に変化させるので、遊技者は、図柄の変化により一層のスリル感と興奮等を得られる。【選択図】        図２
2004181067.tif 000002
【特許請求の範囲】
【請求項１】
複数の回転ドラムと、該複数の回転ドラムのそれぞれの外周面に係合して回転する無端状の図柄表示ベルトと、前記複数の回転ドラムの内少なくとも１個の回転ドラムをほぼ前後方向にスライドさせるスライド機構と、該スライド機構により前記回転ドラムをほぼ前後方向にスライドさせて、図柄表示画面に表示される前記図柄表示ベルトの図柄の表示領域を、縦方向に自在に伸縮表示する縦伸縮自在表示部とを具備することを特徴とする遊技機の図柄表示装置。
【請求項２】
前記縦伸縮自在表示部を横方向に複数配列すると共に、リーチ状態において、前記リーチ状態を形成する前記縦伸縮自在表示部の図柄の表示領域を、縦方向に自在に伸縮表示して、大当たりする確率を変化させることを特徴とする請求項１に記載の遊技機の図柄表示装置。
【請求項３】
前記縦伸縮自在表示部を横方向に複数配列すると共に、大当たりの状態において、所定の数揃った図柄だけを表示させることを特徴とする請求項１または２に記載の遊技機の図柄表示装置。
【発明の詳細な説明】
【０００１】
【発明の属する技術分野】
本発明は、遊技機の図柄表示装置、特に、複数の回転ドラムのそれぞれの外周面に係合した無端状の図柄表示ベルトが回転して図柄変動する図柄の表示領域が、縦方向に自在に伸縮表示される遊技機の図柄表示装置に関するものである。
【０００２】
【従来の技術】
従来、遊技機、特にパチンコ遊技機において、遊技者と対面する図柄表示装置に表示され図柄を変動させる手段として、主に、デジタル表示による図柄変動や回転ドラムの回転による図柄変動等がある。そして、この図柄表示装置に表示される多種多様の図柄が所定数が揃った時に、大当たりの状態となり遊技者に有利な状態に変化する。
更に、遊技者にとって、この図柄表示装置の図柄が変動を開始してから停止するまでの間に表示される図柄の変化や、通常リーチの状態から大当たりの確率が高いスーパーリーチ状態に発展するまでの図柄の変化の過程を、遊技者が目で追うことによりゲームのスリル感や期待感を一段と高めることができる。
【０００３】
このように図柄を変化させる図柄表示装置を有した遊技機として、例えば、特許文献１には、外周面に複数の識別情報を有する可変表示部材が回転制御せしめられる可変表示装置は、可変表示部材を無端のベルト状可変表示部材で形成すると共にベルト状可変表示部材を複数のローラに掛け渡し、これら複数のローラのうち遊技者に対面する位置に設けられるローラをスライド機構により移動可能に構成し、遊技において予め定めた条件が成立した時にスライド機構を駆動制御する可変表示装置が開示されている。
【０００４】
また、特許文献２には、立体表示遊技機において、表示装置の立体像表示を制御する表示制御手段を具備して、この表示制御手段により、所謂リーチ状態、または大当たりの状態において、所定数だけ揃った図柄を遊技者に通常の立体像よりも飛び出して表示させる立体表示遊技機が開示されている。
【０００５】
さらに、特許文献３には、帯体の両端部のうちの一端部のみを裏返しにして、前記帯体全体を１回捩った状態で前記帯体の両端部を接合して形成され、図柄群が両面にそれぞれに列記された図柄表示ベルトと、この図柄表示ベルトを循回動させる駆動機構とを設けたパチンコ機における図柄表示装置が開示されている。
【０００６】
【特許文献１】
特許第３１９２５０８号明細書
【特許文献２】
特許第２８５３０３９号明細書
【特許文献３】
特開平８−２６６７１８号公報
【０００７】
【発明が解決しようとする課題】
上述したように、遊技機、例えばパチンコ遊技機において、遊技者にゲームのスリル感や興奮を与える図柄の変化は、回転ドラムを用い機械的に図柄変動を行う方式では、その図柄の変化を演出することが難しく、音や照明等による演出効果を向上させるしかなかった。
【０００８】
また、特許文献１の可変表示装置は、複数のローラのうち遊技者に対面する位置に設けられるローラをスライド機構により移動可能として、遊技において予め定めた条件が成立した時にスライド機構を駆動制御させ、ローラを前後にスライドさせるものであるが、これはローラが遊技者側に若干突出して、このローラ部分を通過するベルト状可変表示部材の外周面に形成される識別情報が変形するだけなので、遊技者側から正面視すると、立体的な演出に乏しく、スリル感や興奮等を得る効果は少ないと考慮される。
【０００９】
さらに、特許文献２の立体表示遊技機は、所謂リーチ状態、または大当たりの状態において、所定数だけ揃った図柄を通常の立体像よりも飛び出して表示する方式で、回転ドラムに表示された図柄を表示する立体表示部に画像データを出力して、図柄に立体感を形成するものであるが、この方式では、例えば回転ドラム、すなわち図柄が、遊技者側に突出するように移動して、立体感や奥行感を形成するものではないので、実際に遊技者の視覚に入ってくる際の現実性に乏しいと考慮される。
【００１０】
さらにまた、特許文献３のパチンコ機における図柄表示装置は、図柄表示ベルトの両面に図柄をそれぞれ表示して、図柄表示ベルトの単位長さ当りの図柄数を増加させるものであるが、遊技者にとってその効果が解りずらく、遊技者に図柄の変化によるスリル感や興奮を与えるものではない。
【００１１】
本発明は、かかる点に鑑みてなされたものであり、機械的に図柄変動させる方式、すなわち回転ドラムの回転によって図柄変動させる方式において、遊技者にスリル感や興奮等を与える図柄の変化を表示する遊技機の図柄表示装置を提供することを目的とする。
【００１２】
【課題を解決するための手段】
本発明は、上記課題を解決するための手段として、請求項１に記載した発明は、複数の回転ドラムと、該複数の回転ドラムのそれぞれの外周面に係合して回転する無端状の図柄表示ベルトと、前記複数の回転ドラムの内少なくとも１個の回転ドラムをほぼ前後方向にスライドさせるスライド機構と、該スライド機構により前記回転ドラムをほぼ前後方向にスライドさせて、図柄表示画面に表示される前記図柄表示ベルトの図柄の表示領域を、縦方向に自在に伸縮表示する縦伸縮自在表示部とを具備することを特徴とするものである。
このように構成することにより、所定の設定時に対応して、縦伸縮自在表示部の図柄の表示領域を、縦方向に自在に伸縮表示することができる。例えば、１個の回転ドラムの上下に、他の回転ドラムが遊技者側に飛び出すように移動して、複数の回転ドラムがほぼ同一平面上に配列され、図柄表示ベルトに列記された図柄の表示領域を縦方向に伸縮拡大することができる。
【００１３】
請求項２に記載した発明は、請求項１に記載した発明において、前記縦伸縮自在表示部を横方向に複数配列すると共に、リーチ状態において、前記リーチ状態を形成する前記縦伸縮自在表示部の図柄の表示領域を、縦方向に自在に伸縮表示して、大当たりする確率を変化させることを特徴とするものである。
このように構成することにより、リーチ状態において、このリーチ状態を形成する縦伸縮自在表示部の図柄の表示領域を、縦方向に一段→二段→三段に伸縮拡大して、大当たり確率を低→中→高に移行させることができる。
【００１４】
請求項３に記載した発明は、請求項１または２に記載した発明において、前記縦伸縮自在表示部を横方向に複数配列すると共に、大当たりの状態において、所定の数揃った図柄だけを表示させることを特徴とするものである。
このように構成することにより、大当たりの状態において、所定数揃った図柄だけを表示することができる。
【００１５】
【発明の実施の形態】
以下、本発明の実施の形態に係る遊技機の図柄表示装置を図１〜図６に基いて詳細に説明する。また、本発明の実施の形態に係る遊技機の一例としてパチンコ機を取り上げて説明する。
図１は、本発明の実施の形態に係る図柄表示装置を採用したパチンコ機の遊技盤の一形態を示す正面図である。図１に示すように、遊技盤１００上には、図示しないハンドル操作によって打出された遊技球を誘導する略円弧状の外レール１０３及び内レール１０４が設けられ、この２つのレール１０３、１０４に囲まれた部分が遊技領域１０５を形成している。遊技盤１００のほぼ中央部には図柄表示装置１が設けられている。
この形態におけるパチンコ機の基本動作は、遊技球が所定の入賞口１０１に入賞すると、図柄表示装置１に表示されている図柄（数字や絵柄等）が所定時間変動を開始する。そして、特定の図柄が所定数揃った状態で停止すると、大入賞口１０２が所定時間継続して開放し、短時間で多くの賞球を得ることができ、遊技者に有利な大当たりの状態が発生する、という内容のものである。
【００１６】
図２は、本発明の実施の形態に係る図柄表示装置の構成部品である縦伸縮自在表示部が横方向に３列配列された斜視図を示しており、図３は、この縦伸縮自在表示部の側面図であり、回転ドラム等の作動状態が解るように、各段階に分けて縦伸縮自在表示部の内部を示している。
図柄表示装置１は、図２に示すように、縦伸縮自在表示部２が横方向に３列配列されている。
この縦伸縮自在表示部２は、図３及び図４に示すように、３個の回転ドラム３ａ、３ｂ、３ｃと、これら３個の回転ドラム３ａ、３ｂ、３ｃのそれぞれの外周面に係合して回転する無端状の図柄表示ベルト４と、中央に配列される中央回転ドラム３ｂに連結されると共にこの中央回転ドラム３ｂをほぼ前後方向にスライドさせるスライド機構５とから概略構成されている。
【００１７】
図柄表示ベルト４は、無端状からなり、表面に図柄、例えば数字や絵柄等が列記され、両端縁には、後述する回転ドラム３ａ、３ｂ、３ｃに設けたラチェット６が挿脱されるように、図５（ａ）に示すように、左右端２列のラチェット孔４ａが、周方向に所定の間隔をあけて複数個形成されている。
【００１８】
３個の回転ドラム３ａ、３ｂ、３ｃの内、ほぼ中央に配列される中央回転ドラム３ｂには、その側方にステッピングモータ７が配設され、中央回転ドラム３ｂにステッピングモータ７の出力軸（図示省略）が固定されている。この中央回転ドラム３ｂの上下に、上部回転ドラム３ａと下部回転ドラム３ｃとが配置されている。これら３個の回転ドラム３ａ、３ｂ、３ｃのそれぞれの両端縁の全周には、左右端２列のラチェット６が、周方向に所定の間隔をあけて複数外方に突設されている。そして、これら３個の回転ドラム３ａ、３ｂ、３ｃのそれぞれの外周面に図柄表示ベルト４を沿うように配置すると共に、それぞれの回転ドラム３ａ、３ｂ、３ｃに形成されたラチェット６と図柄表示ベルト４のラチェット孔４ａとを挿脱可能に係合する。
そして、中央回転ドラム３ｂに固定したステッピングモータ７を回転駆動させることにより、図柄表示ベルト４が、３個の回転ドラム３ａ、３ｂ、３ｃのそれぞれの外周面に沿って回転することになる。
【００１９】
また、これら３個の回転ドラム３ａ、３ｂ、３ｃの側方には、図３及び図４に示すように、３個の回転ドラム３ａ、３ｂ、３ｃのそれぞれの移動をガイドする複数のガイド長孔５１を有したガイド板５２が配設されている。このガイド長孔５１は、前後ガイド長孔５３と、この前後ガイド長孔５３の上方でやや前方に位置する略へ字状ガイド長孔５４と、前後ガイド長孔５３の下方でやや前方に位置する略逆へ字状ガイド長孔５５とから構成されている。前後ガイド長孔５３は、中央回転ドラム３ｂの前後方向の移動をガイドするように、ガイド板５２の上下方向ほぼ中央で前後方向に細長く穿設されている。略へ字状ガイド長孔５４は、上部回転ドラム３ａの上下方向及び傾斜方向への移動をガイドするように、上下方向に細長く穿設された上下ガイド長孔５４ａと、この上下ガイド長孔５４ａの上端から連続して後下方に傾斜して細長く穿設された上部傾斜ガイド長孔５４ｂとからなる略へ字状に穿設されている。略逆へ字状ガイド長孔５５は、下部回転ドラム３ｃの上下方向及び傾斜方向への移動をガイドするように、上下方向に細長く穿設された上下ガイド長孔５５ａと、この上下ガイド長孔５５ａの下端から連続して後上方に傾斜して細長く穿設された下部傾斜ガイド長孔５５ｂとからなる略逆へ字状に穿設されている。
【００２０】
また、上部及び下部回転ドラム３ａ、３ｃのそれぞれの側面のほぼ中央部から、略へ字状ガイド長孔５４及び略逆へ字状ガイド長孔５５に挿通するガイド棒８、９が垂直に突出している。また、中央回転ドラム３ｂに固定されるステッピングモータ７の側面には、後述する連結部材１０、１１、１３を固定する固定棒２０が突出されている。
この固定棒２０には、上部及び下部回転ドラム３ａ、３ｃそれぞれのガイド棒７、８に固定される上部及び下部連結部材１０、１１の前端が回動自在に固定されている。また、この固定棒２０には、水平方向に延在し、後述するスライド用モータ１２と連結する連結部材１３の前端が固定されている。この連結部材１３の後端には、前後ガイド長孔５３に挿通するガイド棒１４が垂直に突出している。
そして、上部及び下部回転ドラム３ａ、３ｃのそれぞれから突出したガイド棒７、８が、中央回転ドラム３ｂと連結した上部及び下部連結部材１０、１１の後端に固定されると共に、ガイド板５２に形成した略へ字状ガイド長孔５４及び略逆へ字状ガイド長孔５５のそれぞれに挿通している。
【００２１】
次に、スライド機構５を説明すると、中央回転ドラム３ｂを前後方向にスライドさせるスライド用モータ１２が、ガイド板５２の外方で略逆へ字状ガイド長孔５５の下部傾斜ガイド長孔５５ｂの近傍に配置されている。このスライド用モータ１２の出力軸（図示省略）に、回動部材１５の一端が固定され、回動部材１５の他端には、長孔１５ａが穿設されている。
そして、ステッピングモータ７の固定棒２０に固定された連結部材１３の後端のガイド棒１４を、ガイド板５２に穿設した前後ガイド長孔５３及び回動部材１５の他端の長孔１５ａに順次挿通して、ガイド棒１４が回動部材１５に対して上下移動自在となるように連結されている。
したがって、スライド用モータ１２を回転駆動させると回動部材１５が回動して、この回動部材１５に上下移動自在に固定されたガイド棒１４が、ガイド板５２に設けた前後ガイド長孔５３に沿って前後方向にスライドするので、このガイド棒１４に連結部材１３を介して固定されている中央回転ドラム３ｂが、前後方向にスライド可能となる。
【００２２】
次に、本発明の実施の形態に係る図柄表示装置の構成品である縦伸縮自在表示部の基本動作及び図柄の表示状態等を図３〜図５に基いて説明する。
まず、図柄が１列表示される場合は、図３（ａ）に示すように、スライド用モータ１２により該モータ１２と連結した回動部材１５を、前方に所定の角度で傾いた状態となるように回動制御して、中央回転ドラム３ｂを、略へ字状ガイド長孔５４の上下ガイド長孔５４ａの下端と、略逆へ字状ガイド長孔５５の上下ガイド長孔５５ａの上端との間に配置する。
この時、上部回転ドラム３ａは上部傾斜ガイド長孔５４ｂの後端に配置されると共に、下部回転ドラム３ｃは下部傾斜ガイド長孔５５ｂの後端にそれぞれ配置される。
このように構成することにより、図４（ａ）に示す正面視において、中央に中央回転ドラム３ｂが配列されると共に、その上下に上部及び下部回転ドラム３ａ、３ｃの一部分が配列され、図５（ａ）に示すように、中央には１つの図柄（図では「７」）が鮮明に表示され、上下の図柄（図では「８」「６」）は、それぞれ後方に相当傾いた状態で不鮮明に表示されることになる。
【００２３】
次に、図柄が縦方向に３列表示される場合において、特に図３（ａ）の状態から変化する場合は、図３（ｂ）に示すように、図３（ａ）の状態からスライド用モータ１２により回動部材１５を、ほぼ垂直の状態になるまで回動させて、中央回転ドラム３ｂを前後ガイド長孔５３に沿って後方に所定距離移動させる。
すると、上部回転ドラム３ａは、上部傾斜ガイド長孔５４ｂに沿って上方に移動して、この上部傾斜ガイド長孔５４ｂの前端に配置されると共に、下部回転ドラム３ｃは、下部傾斜ガイド長孔５５ｂに沿って下方に移動して、この下部傾斜ガイド長孔５５ｂの前端に配置される。
このように構成することにより、図４（ｂ）に示す正面視において、上部回転ドラム３ａ、中央回転ドラム３ｂ及び下部回転ドラム３ｃが縦方向に３列配列され、図５（ｂ）に示すように、図柄（図では上から「８」「７」「６」）が、縦方向に３列表示されることになる。
【００２４】
さらに、図柄が縦方向に２列表示される場合において、特に図３（ａ）の状態から変化する場合は、図３（ｃ）に示すように、図３（ａ）の状態からスライド用モータ１２により回動部材１５を、後方に所定の角度で傾いた状態になるまで回動させて、中央回転ドラム３ｂを前後ガイド長孔５３に沿って後方に移動させ、上部傾斜ガイド長孔５４ｂの後端と、下部傾斜ガイド長孔５５ｂの後端との間に配置する。
すると、上部回転ドラム３ａが、上部傾斜ガイド長孔５４ｂに沿って上方に移動して、さらに上下ガイド長孔５４ａに沿って下方に移動しこの上下ガイド長孔５４ａの下端に配置されると共に、下部回転ドラム３ｃが、下部傾斜ガイド長孔５５ｂに沿って下方に移動して、さらに上下ガイド長孔５５ａに沿って上方に移動しこの上下ガイド長孔５５ａの上端に配置される。
このように構成することにより、図４（ｃ）に示す正面視において、上部回転ドラム３ａ及び下部回転ドラム３ｃが縦方向に２列配列され、図５（ａ）に示すように、図柄（図では上から「７」「６」）が、縦方向に２列表示される。
【００２５】
上述した図３（ａ）〜図３（ｃ）の説明は、本発明の実施の形態に係る図柄表示装置の構成品である縦伸縮自在表示部の基本動作を解り易くするために、図柄の表示領域が図５の（ａ）の状態から（ｂ）の状態、及び（ａ）の状態から（ｃ）の状態に伸縮拡大する形態を説明したものであるが、この図柄の表示領域は、スライド用モータに固定された回動部材の傾斜角度を、前述した所定角度に適宜変化させることで自由に設定でき、また、図柄の表示領域が伸縮する順序（図柄の表示領域が変化する過程）についても自由に設定することができる。
【００２６】
次に、本発明の実施の形態の係る遊技機の図柄表示装置に図柄が表示される表示例を図６に基いて図１〜図３も参照しながら説明する。
遊技者が、パチンコ機の操作ハンドルを所定量回転させて打出された遊技球が、遊技領域１０５の所定の入賞口１０１に入賞すると、図柄表示装置１に表示されている図柄が所定時間変動を開始する。この図柄表示装置１は、前述した縦伸縮自在表示部２が、横方向に３列配列され構成されており、図柄変動が開始されると、図６（ａ）に示すように、遊技者が視認できない程度の速度で矢印の方向に回転ドラムが回転し、図柄が変動する。ここで、符号５１が左縦伸縮自在表示部、符号５２が中央縦伸縮自在表示部、符号５３が右縦伸縮自在表示部を示す。
【００２７】
図６（ａ）の状態で所定時間経過すると、図６（ｂ）に示すように、まず、左縦伸縮自在表示部５１の図柄「７」が停止して表示され、次に、右縦伸縮自在表示部５３の図柄「７」が停止して表示される。このリーチ状態は比較的大当たりの確率が低い、いわゆるシングルリーチ状態である。この場合は、図６（ｂ）に示すように、中央縦伸縮自在表示部５２に表示される図柄の表示領域が一段に設定されると共に図柄変動して、図６（ｇ）に示すように、中央縦伸縮自在表示部５２に図柄「７」が表示されれば、水平方向の図柄が揃い大当たりの状態となる。（図では「７」が表示されている）
【００２８】
次に、図６（ｃ）に示す表示は、左縦伸縮自在表示部５１の図柄の表示領域が、縦方向に伸縮拡大して上から順に「６」「７」に表示され、また、右縦伸縮自在表示部５３の図柄の表示領域も、縦方向に伸縮拡大して上から順に「７」「６」に表示される。このリーチ状態は大当たりの確率が中程度の、いわゆるダブルリーチ状態である。この場合は、図６（ｆ）に示すように、中央縦伸縮自在表示部５２に表示される図柄の表示領域が一段に設定されると共に図柄変動して、中央縦伸縮自在表示部５２に図柄「６」あるいは「７」が表示されれば、斜め方向の図柄が揃い大当たりの状態となる。（図では「７」が表示されている）
【００２９】
さらに、図６（ｄ）に示す表示は、左縦伸縮自在表示部５１の図柄の表示領域が、縦方向に更に伸縮拡大して上から順に「８」「７」「６」に表示され、右縦伸縮自在表示部５３の図柄の表示領域も、縦方向に更に伸縮拡大して上から順に「６」「７」「８」に表示される。このリーチ状態は大当たりの確率が高く、いわゆるトリプルリーチ状態である。この場合は、図６（ｅ）に示すように、中央縦伸縮自在表示部５２に表示される図柄の表示領域が縦方向に３段で設定されると共に図柄変動して、中央縦伸縮自在表示部５２の中央に位置する図柄が「６」あるいは「８」が表示されれば、斜め方向の図柄が揃い、あるいは「７」が表示されれば、水平方向の数字が揃うことになり大当たりの状態となる。（図では「７」が表示されている）
【００３０】
次に、本発明の実施の形態の係る遊技機の図柄表示装置によって、図６（ａ）に示す図柄変動の状態から図６（ｆ）及び図６（ｇ）に示す大当たり状態まで、図柄が変化（図柄の表示領域が伸縮）する基本的な過程を下記（ア）〜（エ）に示す。
（ア）図６（ａ）の図柄変動中→図６（ｂ）のシングルリーチ状態→図６（ｇ）の大当たり状態に移行する。
（イ）図６（ａ）の図柄変動中→図６（ｃ）のダブルリーチ状態→図６（ｆ）の大当たり状態→図６（ｇ）の揃った図柄だけを表示する状態に移行する。
（ウ）図６（ａ）の図柄変動中→図６（ｄ）のトリプルリーチ状態→図６（ｅ）の大当たり状態→図６（ｇ）の揃った図柄だけを表示する状態に移行する。
（エ）図６（ａ）の図柄変動中→図６（ｂ）のシングルリーチ状態→図６（ｃ）のダブルリーチ状態→図６（ｄ）のトリプルリーチ状態→図６（ｅ）の大当たり状態→図６（ｇ）の揃った図柄だけを表示する状態に移行する。
なお、上述した（ア）〜（エ）の図柄が変化する過程は、基本的な過程を説明したものであり、これに限られるものではない。
【００３１】
このように、上述した（エ）のように図柄が変化する過程は、段階的にリーチ状態を変化させ、大当たりの確率を高くしたものであり、この場合には、上下に各図柄が遊技者側に飛び出すようにして、図柄の表示領域が伸縮拡大し大当たりの確率が高くなるために、遊技者は一層のスリル感と興奮等を得ることができる。
また、上述した（イ）及び（ウ）のように図柄が変化する過程は、大当たりが発生した後に、図６（ｇ）に示すように、揃った図柄（図では「７」）だけが表示され、大当たりのインパクトを高めることができる。
【００３２】
本発明の実施の形態に係る遊技機の図柄表示装置１は、３個の回転ドラム３ａ、３ｂ、３ｃと、これらの回転ドラム３ａ、３ｂ、３ｃのそれぞれの外周面に係合して回転する無端状の図柄表示ベルト４と、中央回転ドラム３ｂを前後方向にスライドさせるスライド機構５とからなる縦伸縮自在表示部２を、横方向に３列配列して構成しているので、リーチ状態において、このリーチ状態を形成する左右縦伸縮自在表示部５１、５３の図柄の表示領域を伸縮拡大させて、大当たりの確率を低→中→高に段階的に変化させることができる。
【００３３】
【発明の効果】
以上説明したように、請求項１に記載した発明によれば、所定の設定時に対応して、図柄の表示領域を、縦方向に自在に伸縮表示することができる。特に、図柄の表示領域が伸縮拡大される瞬間は、上下の回転ドラム、すなわち図柄が、遊技者側に飛び出すようにして表示されるので、現実的な立体感を得ることができ、遊技者にスリル感と興奮を十分に与えることができる。
【００３４】
請求項２に記載した発明によれば、リーチ状態において、このリーチ状態を形成する縦伸縮自在表示部の図柄の表示領域を、縦方向に一段→二段→三段に伸縮拡大して、大当たり確率を低→中→高に変化させることができるので、遊技者に、大当たり確率が高くなるにつれて、一層のスリル感と興奮等を与えることができる。
【００３５】
請求項３に記載した発明によれば、大当たりの状態において、所定の数揃った図柄だけ表示させるので、遊技者に大当たりのインパクトを与えることができる。
【図面の簡単な説明】
【図１】図１は、本発明の実施の形態に係る遊技機の図柄表示装置を採用したパチンコ機の遊技盤を示す平面図である。
【図２】図２は、本発明の実施の形態に係る遊技機の図柄表示装置の斜視図である。
【図３】図３は、本発明の実施の形態に係る遊技機の図柄表示装置の構成部品である縦伸縮自在表示部を示す側面図であり、（ａ）〜（ｃ）は、図柄の表示領域が変化する各段階を示す側面図である。
【図４】図４は、図３の（ａ）〜（ｃ）の各段階を前方から見て、図柄表示ベルトを省略した各段階の正面図である。
【図５】図５は、図３の（ａ）〜（ｃ）の各段階を前方から見て、図柄表示ベルトに表示された図柄を示す各段階の正面図である。
【図６】図６は、本発明の実施の形態に係る遊技機の図柄表示装置の図柄変動開始から大当たり状態まで図柄が変化する過程を示した図である。
【符号の説明】
１          図柄表示装置
２          縦伸縮自在表示部
３ａ        上部回転ドラム
３ｂ        中央回転ドラム
３ｃ        下部回転ドラム
４          図柄表示ベルト
５          スライド機構
２０        ステッピングモータ
２１        スライド用モータ
【図１】
2004181067.tif 000003
【図２】
2004181067.tif 000004
【図３】
2004181067.tif 000005
【図４】
2004181067.tif 000006
【図５】
2004181067.tif 000007
【図６】
2004181067.tif 000008